(57)【要約】【課題】  ディスクの複数の検出孔に対応して書込可否判別ができる検出装置を簡易に実現する。【解決手段】  カートリッジには少なくとも第１，第２の検出孔が形成され、該第１の検出孔をＨ０、第２の検出孔をＨ１とすると、Ｈ０，Ｈ１が両方とも開状態ならば、検出孔判別部内の押圧子が付勢部からの付勢力により上方に位置し、検出スイッチ部から所定の間隔を開ける、つまり、スイッチオフの状態となり、ディスクへの書込は不可と判別される。また、Ｈ０またはＨ１の検出孔がいずれかが閉状態ならば、押圧子突出部が検出孔により押圧され、押圧子は検出スイッチ部と接触する、つまりスイッチオンの状態となり、ディスクへの書込は可と判別される。【選択図】        図３
2005310341.tif 000002
【特許請求の範囲】
【請求項１】
筐体上面に設けられた第１，第２の突出孔から第１，第２の突出部が突出するように形成された検出装置と、
装填された記録媒体による上記検出装置の上記第１、第２の突出部の押圧状況によって装填された記録媒体に対する記録可否を判別する判別手段とを備え、
上記判別手段は、装填された記録媒体によって、上記第１の突出部が押圧された場合と、上記第２の突出部が押圧された場合のいずれの場合も、装填された記録媒体について記録可能と判別することを特徴とする記録装置。
【請求項２】
上面に第１，第２の突出孔が設けられた筐体と、
上記筐体内の底面の所定位置に配置される検出スイッチ部と、
上記第１，第２の突出孔より突出可能な第１，第２の突出部と、上記検出スイッチ部と当接可能な当接部からなる略Ｙ字形状の押圧子と、
上記押圧子の上記第１，第２の突出部が、上記第１，第２の突出孔から突出する状態になるように上記押圧子を所定位置に付勢する付勢部とを備えた検出装置を有し、
上記検出装置は、
装填された記録媒体によって上記押圧子が押圧されず、上記押圧子が上記所定位置に在り、上記当接部が上記検出スイッチ部に当接しないことで上記検出スイッチ部がオフ状態となり、
装填された記録媒体によって上記押圧子の第１の突出部もしくは第２の突出部が押圧され、上記当接部が上記検出スイッチ部に当接することで上記検出スイッチ部がオン状態となるとともに、
上記検出装置の上記検出スイッチ部のオン状態／オフ状態により、装填された記録媒体に対する記録可否を判別する判別手段を備えたことを特徴とする記録装置。
【請求項３】
少なくとも装填された記録媒体からの反射光に基づく信号から記録媒体の種別判別を行うことにより、上記検出スイッチ部のオン状態／オフ状態により、各種別の記録媒体における書込可否判別が可能となることを特徴とする請求項２に記載の記録装置。
【請求項４】
複数の突出孔が設けられた支持体と、
上記支持体内の所定位置に配置される検出スイッチ部と、
上記複数の突出孔よりそれぞれ突出可能な複数の突出部と、上記検出スイッチ部と当接可能な当接部からなる押圧子と、
上記押圧子の複数の突出部が、それぞれ上記複数の突出孔から突出する状態になるように上記押圧子を所定位置に付勢する付勢部とを備え、
上記押圧子が上記所定位置に在り、上記当接部が上記検出スイッチ部に当接しないことで上記検出スイッチ部がオフ状態となり、
上記押圧子の複数の突出部の少なくとも１つが押圧され、上記当接部が上記検出スイッチ部に当接することで上記検出スイッチ部がオン状態となることを特徴とする検出装置。
【請求項５】
上面に複数の突出孔が設けられた筐体と、
上記筐体内の底面の所定位置に配置される検出スイッチ部と、
上記複数の突出孔よりそれぞれ突出可能な複数の突出部と、上記検出スイッチ部と当接可能な当接部からなる押圧子と、
上記押圧子の複数の突出部が、それぞれ上記複数の突出孔から突出する状態になるように上記押圧子を所定位置に付勢する付勢部とを備え、
上記押圧子が上記所定位置に在り、上記当接部が上記検出スイッチ部に当接しないことで上記検出スイッチ部がオフ状態となり、
上記押圧子の複数の突出部の少なくとも１つが押圧され、上記当接部が上記検出スイッチ部に当接することで上記検出スイッチ部がオン状態となることを特徴とする検出装置。
【請求項６】
上面に第１，第２の突出孔が設けられた筐体と、
上記筐体内の底面の所定位置に配置される検出スイッチ部と、
上記第１，第２の突出孔より突出可能な第１，第２の突出部と、上記検出スイッチ部と当接可能な当接部からなる略Ｙ字形状の押圧子と、
上記押圧子の上記第１，第２の突出部が、上記第１，第２の突出孔から突出する状態になるように上記押圧子を所定位置に付勢する付勢部とを備え、
上記押圧子が上記所定位置に在り、上記当接部が上記検出スイッチ部に当接しないことで上記検出スイッチ部がオフ状態となり、
上記押圧子の第１の突出部もしくは第２の突出部が押圧され、上記当接部が上記検出スイッチ部に当接することで上記検出スイッチ部がオン状態となることを特徴とする検出装置。
【発明の詳細な説明】
【技術分野】
【０００１】
本発明は、例えばディスクがカートリッジに収納された形態の記録媒体に対応する記録装置と、記録装置に搭載される検出装置に関するものである。
【背景技術】
【０００２】
【特許文献１】特開平８−９６５５２号公報
【特許文献２】特開平５−３６２３４号公報
【特許文献３】特開平５−１４４１６５号公報
【特許文献４】特開平８−３２１１２９号公報
【０００３】
近年、各種記録媒体が開発され、また高密度記録等による記録容量の拡大も進められている。さらに新規な記録媒体の開発に伴っては、過去の記録媒体との互換性を維持することも重要となる。
このような事情から、１つの範疇（グループ）の記録媒体として、多様な種別の記録媒体が併存する状況が生じた。
【０００４】
現在普及しているミニディスク（ＭＤ：MINI DISC）を例に挙げる。ミニディスクは、最初にオーディオ記録用途として開発され、その際には、ディスク上にデータを全てエンボスピットで記録する再生専用のディスクと、光磁気ディスクを用い磁界変調方式で記録を行うことで、ユーザーサイドで音楽等の録音が可能な記録再生型のディスクが用意された。
その後、オーディオデータだけでなく、コンピュータユースのデータ等も記録再生できるように、ＭＤ−Dataと呼ばれるフォーマットが開発され、さらに近年、より汎用的にデータを扱うとともに、著しい高密度化を実現したディスク（Ｈｉ−ＭＤと呼ばれる）が開発されている。また、Ｈｉ−ＭＤと呼ばれる新規ディスクの中でも、さらに新規なディスクが開発されている。
【０００５】
これらは、いわゆるミニディスクとしての範疇における各種のディスクであるが、それぞれ略同形状で同サイズのカートリッジに収納されたディスクであり、ミニディスクに対応する記録再生装置（ディスクドライブ装置）に装填可能である。
しかしながら、ミニディスク対応のディスクドライブ装置としても、当然ながら旧来の機種、つまり、旧来の種別のディスクにのみ対応する機種が存在し、その旧来機種では、新規な種別のディスクは装填は可能なものの、新規フォーマットでのデータ書込ができなかったり、或いは動作エラーやデータ破壊を引き起こす場合が考えられる。
このため、多様な種別のディスクと、それぞれの世代毎に開発されたディスクドライブ装置との各種組み合わせにおいて、少なくとも動作エラーやデータ破壊等の不具合を起こさせないようにすることが必要である。
【０００６】
これらのことから、ディスクドライブ装置側では、同一範疇における多様な種別のディスクを的確に判別することが求められる。従来のディスク判別技術については、例えば上記特許文献３，４に開示されている。
また、旧来機種での新開発ディスクに対する不具合をなくすことが求められる。
特に旧来機種の対応を考えると、ディスクの書込可否（誤消去防止）の管理の問題が大きい。
例えばミニディスク方式の範疇では、カートリッジに書込可否の検出孔が設けられており、ユーザーがカートリッジに設けられたスライダを操作することで検出孔を開閉し、データ書込禁止状態（誤消去防止状態）と、書込可能状態を選択できるようにしている。
なお、これらの検出孔による書込可否検出については、例えば上記特許文献１，２，３に記述されている。
【発明の開示】
【発明が解決しようとする課題】
【０００７】
旧来機種のディスクドライブ装置において対応不能な新規ディスクについては、不具合を防止するために、旧来機種から見て書込禁止となるようにすることが考えられる。
ところが、上記検出孔により旧来機種に対して常に「書込禁止」と認識させる場合、新規機種としてのディスクドライブ装置では、その検出孔を書込可否の判断に使用できなくなる。このため、書込可否判別のための別の検出孔を設ける必要が生ずる。
だが、従来のディスクドライブ装置では、検出孔等に対応するスイッチ等の検出用デバイスは、１つの検出孔に対し１つの検出用デバイスが用いられている。このため、検出孔を追加することは、機器側での検出用デバイスも追加することに繋がり、コスト的に好ましくない。さらに、小型化や薄型化の妨げともなる。
【課題を解決するための手段】
【０００８】
そこで本発明は、多様な種別の記録媒体に対して、複数の検出孔に対応して適切な書込可否の判別が行うことが可能となる検出装置、及び検出装置を搭載した記録装置を提供することを目的とする。
【０００９】
本発明の記録装置は、筐体上面に設けられた第１，第２の突出孔から第１，第２の突出部が突出するように形成された検出装置と、装填された記録媒体による上記検出装置の上記第１、第２の突出部の押圧状況によって装填された記録媒体に対する記録可否を判別する判別手段とを備える。そして上記判別手段は、装填された記録媒体によって、上記第１の突出部が押圧された場合と、上記第２の突出部が押圧された場合のいずれの場合も、装填された記録媒体について記録可能と判別する。
【００１０】
また、本発明の記録装置は、上面に第１，第２の突出孔が設けられた筐体と、上記筐体内の底面の所定位置に配置される検出スイッチ部と、上記第１，第２の突出孔より突出可能な第１，第２の突出部と、上記検出スイッチ部と当接可能な当接部からなる略Ｙ字形状の押圧子と、上記押圧子の上記第１，第２の突出部が、上記第１，第２の突出孔から突出する状態になるように上記押圧子を所定位置に付勢する付勢部とを備えた検出装置を有する。この検出装置は、装填された記録媒体によって上記押圧子が押圧されず、上記押圧子が上記所定位置に在り、上記当接部が上記検出スイッチ部に当接しないことで上記検出スイッチ部がオフ状態となり、装填された記録媒体によって上記押圧子の第１の突出部もしくは第２の突出部が押圧され、上記当接部が上記検出スイッチ部に当接することで上記検出スイッチ部がオン状態となる。そして上記検出装置の上記検出スイッチ部のオン状態／オフ状態により、装填された記録媒体に対する記録可否を判別する判別手段を備える。
また、少なくとも装填された記録媒体からの反射光に基づく信号から記録媒体の種別判別を行うことで、上記検出スイッチ部のオン状態／オフ状態により、各種別の記録媒体における書込可否判別が可能となるようにする。
【００１１】
本発明の検出装置は、複数の突出孔が設けられた支持体と、上記支持体内の所定位置に配置される検出スイッチ部と、上記複数の突出孔よりそれぞれ突出可能な複数の突出部と上記検出スイッチ部と当接可能な当接部からなる押圧子と、上記押圧子の複数の突出部が、それぞれ上記複数の突出孔から突出する状態になるように上記押圧子を所定位置に付勢する付勢部とを備え、上記押圧子が上記所定位置に在り、上記当接部が上記検出スイッチ部に当接しないことで上記検出スイッチ部がオフ状態となり、上記押圧子の複数の突出部の少なくとも１つが押圧され、上記当接部が上記検出スイッチ部に当接することで上記検出スイッチ部がオン状態となることを特徴とする。
【００１２】
また、検出装置は、上面に複数の突出孔を設け、底面の所定位置に検出スイッチ部を配置した筐体の内部に、上記複数の突出孔よりそれぞれ突出可能な複数の突出部と、上記検出スイッチ部と当接可能な当接部からなる押圧子と、上記押圧子の複数の突出部が、それぞれ上記複数の突出孔から突出する状態になるように上記押圧子を所定位置に付勢する付勢部とを備え、上記押圧子が上記所定位置に在り、上記当接部が上記検出スイッチ部に当接しないことで上記検出スイッチ部がオフ状態となり、上記押圧子の複数の突出部の少なくとも１つが押圧され、上記当接部が上記検出スイッチ部に当接することで上記検出スイッチ部がオン状態となることを特徴とする。
【００１３】
即ち本発明では、１つの検出装置として、複数の突出部（例えば第１，第２の突出部）を設けるようにする。そしてその各突出部（押圧子）が記録媒体の複数の検出孔の有無（開閉）に応じて押圧されるか、或いは押されない状態となる。この押圧状態に基づいて記録媒体に対して書込可能か否かを判別する。
【発明の効果】
【００１４】
本発明の記録装置では、１つの筐体から第１，第２の突出部が突出する構成の検出装置を備える。そして判別手段は、装填された記録媒体によって、上記第１の突出部が押圧された場合と、上記第２の突出部が押圧された場合のいずれの場合も、装填された記録媒体について記録可能と判別する。
または、上記検出装置は、突出孔より突出された第１，第２突出部のいずれかが押圧されたとき、当接部が検出スイッチ部と接触する構成とされ、この検出スイッチ部のオン状態／オフ状態により、装填された記録媒体に対する記録可否を判別する。
これらのような記録装置における検出装置の場合、記録媒体における複数の検出孔の開閉状況を１つの検出デバイスで判断し、記録か可能か否かを正確に判別できる。
従って、検出装置としてのデバイスの小型化、薄型化、コストダウンに適している。
また、検出装置を筐体内に収めることにより、電子機器等に取り付けるとき、配線等の手間が無くなり、簡単に取り付けることが可能となる。
【００１５】
また、突出部を多数設けた検出装置を用いれば、少なくとも１つの突出部が押圧されると検出スイッチ部が感知するため、検出孔が多数ある記録媒体またはＯＲ回路を使用している電子機器等において使用することが可能となる。そのため、装置のコストダウン、また小型化や薄型化も可能となる。
【発明を実施するための最良の形態】
【００１６】
以下、ミニディスクシステムとしての範疇の記録媒体及びディスクドライブ装置を例に挙げて本発明の実施の形態を説明する。説明は次の順序で行う。
１．記録再生装置（ディスクドライブ装置）の構造
２．検出孔判別部の構造
３．ディスクドライブ装置の構成
４．ディスク種別
５．ストレージ部の構成
６．カートリッジ検出孔
７．ディスク種別判別
８．書込可否判別処理
９．他の検出孔判別部の構造
１０．検出孔判別部の突出長の設定
【００１７】
１．記録再生装置（ディスクドライブ装置）の構造
実施の形態としてのディスクドライブ装置は、磁界変調方式でデータ記録が行われる光磁気ディスクであるミニディスク（ＭＤ）方式のディスクに対する記録再生装置である。
但し、普及している音楽用途のミニディスクのみではなく、より高密度記録を可能とし、ビデオデータの他、コンピュータユースの各種データのストレージに利用できる高密度ディスクについても対応可能な記録再生装置である。
【００１８】
図１は、本実施の形態における記録再生装置の分解斜視図である。
図１における記録再生装置１は、本体キャビネット１ａと、この本体キャビネット１ａに対して支軸により開閉自在に設けられ、ディスク９０を着脱する時に開閉される蓋１ｂとで構成される。また蓋１ｂの外部表面には、動作状態、モード状態等をユーザーに知らせるための表示部６、ユーザー操作部である各種操作子７が具備されている。なお、図示していないが、本体キャビネット１ａまたは蓋１ｂの側面には、アナログ入出力端子、ＵＳＢ端子等、各入出力処理を行うための入出力端子が設けられている。
【００１９】
記録再生装置１内部には、ホルダー６１、メカニズム（メカデッキ部）６３、矩形状のプリント基板６４と電池６２等が組み込まれている。前記ホルダー６１の奥端６１ａはメカニズム６３に回動自在に枢支されている。またホルダー６１には、カートリッジ９１に収納されているディスク９０がセットされる。そして、前記プリント基板６４はメカニズム６３に取り付けられている。
【００２０】
ディスク９０にアクセスするメカニズム６３は、ディスク９０を回転させるターンテーブル、ターンテーブルを駆動するスピンドルモータ、光ピックアップ、光ピックアップを移動するスライド機構等により構成されてる。
また、電池６２は、メカニズム６３に対向し、かつディスク９０を読み取るための光ピックアップと重ならないような位置に配置され、例えばカートリッジ９１の挿入側においてプリント基板６４と併設するように配置される。
【００２１】
カートリッジ９１は、カートリッジ９１内部に記録媒体となるディスク９０を収納しており、後述するが、ディスク９０へのデータ等の書込可／書込不可を設定できるようにスライダ９３が設けられている。このスライダ９３をユーザーの操作によって検出孔の開閉が可能とされている。
【００２２】
プリント基板６４上には、ディスク装填時に、そのディスク９０の誤消去防止を行う検出孔判別部５０が実装されている。この検出孔判別部５０についての詳細は後述する。
識別用穴７０ａ，７０ｂは、検出孔判別部５０から突出している突出部５２Ｒ，５２Ｌと対向する位置に形成されており、メカニズム６３とプリント基板６４を合わせることにより突出部５２Ｒ，５２Ｌは識別用穴７０ａ，７０ｂから突出した形をなす。
また、識別用穴７０ａ，７０ｂは、ディスク装填時に、カートリッジ９１上の検出孔に対向する位置に形成されいる。このため、突出部５２Ｒ，５２Ｌは識別用穴７０ａ，７０ｂを介してカートリッジ９１上の検出孔に突入（又は検出孔が閉じられていれば当接）することになる。
そして、この突出部５２Ｒ，５２Ｌが、検出孔の開閉（又は有無）によって、押圧されているか否かを判別することにより、検出孔の開閉状態を判別することができる。
【００２３】
２．検出孔判別部の構造
本実施の形態における検出孔判別部５０の構造を図２、図３を用いて詳しく説明する。図２（ａ）（ｂ）（ｃ）は検出孔判別部５０の平面図、側面図、正面図であり、図２（ｄ）は検出孔判別部５０の回路構成を示している。
また図３（ａ）（ｂ）は検出孔判別部５０の内部構造を上面及び側面から見た状態で、模式的に示しているものである。
【００２４】
検出孔判別部５０は、ガイド部５１を筐体とし、押圧子５２、検出スイッチ部５３、付勢部５４から構成されている。
ガイド部５１は、略直方体をした筐体であり、該筐体の上面には、略円形の穴である突出孔５１Ｒ，５１Ｌが長手方向に所定の間隔を開けて設けられている。また、ガイド部５１の内部底面には検出スイッチ部５３が設けられている。
なお、本実施の形態では筐体の形状を直方体としたが、検出孔判別部としての動作に支障のない形状であればこだわることはない。
【００２５】
ガイド部５１内には、上方に上記突出孔５１Ｒ，５１Ｌから突出する突出部５２Ｒ，５２Ｌを持ち、下方には検出スイッチ部５３と当接するように配置された当接部５２Ｕを備えた略Ｙ字形状の押圧子５２が設けられている。
なお、本実施の形態では、突出孔５１Ｒ，５１Ｌおよび突出部５２Ｒ，５２Ｌは断面円形状のものを使用したが、この形状は、検出孔判別部としての動作が正常に可動する形状であれば、三角形、矩形等の異なる形状でもよい。
【００２６】
押圧子５２の下方には、コイルばね等の付勢部５４が押圧子５２を下から支えるように設けられている。この付勢部５４の付勢力により押圧子５２は中空に静止した状態、つまり突出部５２Ｒ，５２Ｌが突出孔５１Ｒ，５１Ｌから最大に突出する所定の位置に維持される。このとき、押圧子５２の当接部５２Ｕは、検出スイッチ部５３と所定の間隔を開けた状態となる。
なお、付勢部５４は、図上では２つの付勢部により押圧子５２を支える構造を採っているが、当接部５２Ｕおよび検出スイッチ部５３を囲むように付勢部を設けてもよい。つまり、押圧子５２が所定動作をすることのできる箇所に付勢部を設ければよい。
【００２７】
検出スイッチ部５３は、書込可否を判別するためのスイッチである。当接部５２Ｕによって検出スイッチ部が接触もしくは押されたとき、つまり押圧子５２が所定位置から下へと移動したときに、図２（ｄ）の回路におけるスイッチはオンの状態となり、また、当接部５２Ｕが検出スイッチ部５３と所定の間隔を開けているとき、つまり押圧子５２が所定位置に在るときはスイッチはオフの状態となる。この検出スイッチのオン・オフにより、書込可否を判別する構造となっている。
本実施の形態では、検出スイッチ部５３がオンのとき書込を可とし、スイッチがオフのとき、書込否とするように判別をする。しかし、本発明はスイッチのオンとオフの２つの信号を用いるため、スイッチがオンのとき書込否とし、またスイッチがオフのとき書込可とする等の異なる使い方であってもよい。
【００２８】
検出スイッチ部５３は、上面には当接部５２Ｕと接する接点部が設けられ、また外部の回路部との接続端子部Ｔａ，Ｔｃが導かれていることで、図２（ｄ）の回路が形成される。端子Ｔａ，Ｔｃは図２（ａ）のように筐体であるガイド部５１の外に形成され、図１に示したプリント基板６４の所定位置に接続される。
そしてこの図２（ｄ）の回路におけるオン・オフ状態は、端子部Ｔａ，Ｔｃの電位状態によって後述するストレージコントローラで判別される。
【００２９】
上記のように構成されている検出孔判別部５０は、以下のように動作する。
所定位置にある押圧子５２は、突出孔５１Ｒ，５１Ｌから突出している突出部５２Ｒもしくは５２Ｌが所定の力によって押圧されると、付勢部５４は縮み、押圧子５２は下方へと移動する。そして、押圧子５２の当接部５２Ｕは、当接する位置に設けられている検出スイッチ部５３と接触もしくは押圧する、つまりスイッチがオンの状態となる。そして、スイッチがオンとなったという情報を、端子部Ｔａ，Ｔｃから出力する。
また、突出部５２Ｒもしくは５２Ｌを押圧している力が無くなると、付勢部５４による付勢力により押圧子５２は上方へ移動し、所定位置に戻ることとなる。つまり、検出スイッチ部５３は当接部５２Ｕと所定の間隔をあけた状態となり、スイッチがオフとなる。そして、スイッチがオフとなったという情報を、端子部Ｔａ、Ｔｃから出力する。
【００３０】
なお、図２（ｃ）からわかるように、突出部５２Ｒ、５２Ｌの突出長は異なるものとされている。そして突出部５２Ｒは、Ｓ０で示すストローク範囲で押圧され、突出部５２ＬはＳ１で示すストローク範囲で押圧される。
突出部５２Ｒ、５２Ｌの突出長が異なるものとされる事情については後述する。
【００３１】
３．ディスクドライブ装置の構成
図４により本実施の形態の記録再生装置の構成を説明する。
図４においては、本実施の形態の記録再生装置１が、例えばパーソナルコンピュータ（或いはネットワーク）１００として外部の機器との間でデータ通信可能な機器として示している。
記録再生装置１は、ストレージ部２、キャッシュメモリ３、ＵＳＢインターフェース４、入出力処理部５、表示部６、操作部７、システムコントローラ８、ＲＯＭ９、ＲＡＭ１０、キャッシュ管理メモリ１１、ＮＶ−ＲＡＭ１２を備える。
ストレージ部２は、装填されたディスクに対する記録／再生を行う。本発明の実施の形態の検出孔判別部５０もこのストレージ部２によって制御される。なお、ストレージ部２の構成については後述する。
【００３２】
キャッシュメモリ３は、ストレージ部２でディスクに記録するデータ、或いはストレージ部２によってディスクから読み出されたデータについてのバッファリングを行うキャッシュメモリである。例えばＤ−ＲＡＭにより構成される。
キャッシュメモリへのデータの書込／読出は、システムコントローラ（ＣＰＵ）８において起動されるタスクによって制御される。
【００３３】
ＵＳＢインターフェース４は、例えばパーソナルコンピュータ１００とＵＳＢケーブル１０１としての伝送路で接続された際の、データ伝送のための処理を行う。
入出力処理部５は、例えば記録再生装置１が単体でオーディオ機器として機能する場合に記録再生データの入出力のための処理を行う。
【００３４】
システムコントローラ８は、記録再生装置１内の全体の制御を行うと共に、接続されたパーソナルコンピュータとの間の通信制御を行う。
ＲＯＭ９にはシステムコントローラ８の動作プログラムや固定パラメータ等が記憶される。
ＲＡＭ１０はシステムコントローラ８によるワーク領域として用いられ、また各種必要な情報の格納領域とされる。
【００３５】
キャッシュ管理メモリ１１は、例えばＳ−ＲＡＭで構成され、キャッシュメモリ３の状態を管理する情報が格納される。システムコントローラ８はキャッシュ管理メモリ１１を参照しながらデータキャッシュ処理の制御を行う。
ＮＶ−ＲＡＭ（不揮発性ＲＡＭ）１２は、電源オフ時にも消失させないデータの格納領域として用いられる。
【００３６】
表示部６は、システムコントローラ８の制御に基づいて、ユーザーに対して提示すべき各種情報の表示を行う。例えば動作状態、モード状態、楽曲等のデータの名称情報、トラックナンバ、時間情報、その他の情報表示を行う。
操作部７には、ユーザーの操作のための各種操作子として、操作キーやジョグダイヤルなどが形成される。ユーザーは記録・再生、データ通信のための所要の動作を操作部７を操作して指示する。システムコントローラ８は操作部７によって入力された操作情報に基づいて所定の制御処理を行う。
【００３７】
なお、この図４の記録再生装置１の構成は一例であり、例えば入出力処理部５は、オーディオデータだけでなく、ビデオデータに対応する入出力処理系を備えるようにしてもよい。
また、パーソナルコンピュータ１００との接続はＵＳＢでなく、ＩＥＥＥ１３９４等の他の外部インターフェイスが用いられても良い。
【００３８】
４．ディスク種別
本実施の形態の記録再生装置１で記録媒体とされるディスクは、ミニディスク方式のディスクである。特に従前の音楽用のミニディスクだけではなく、コンピュータユースの各種データを記録できる高密度ディスクにも対応する。
まずここで、ミニディスク方式としての範疇に属し、本例の記録再生装置１に装填可能な各種の種別のミニディスクについて述べておく。
【００３９】
なお区別のために、各種別のミニディスクの名称として、「再生専用ＭＤ」「録再ＭＤ」「高密度ＭＤタイプＡ」「高密度ＭＤタイプＢ」「再生専用高密度ＭＤ」「高密度ＭＤタイプＣ」という用語を用いる。これらはあくまで本明細書での説明上の名称である。各種別のディスクは次のようなものである。
【００４０】
再生専用ＭＤとは、一般にプリマスタードディスクと呼ばれる再生専用のオーディオ用途のＭＤを指す。データは全てエンボスピットで記録される。
録再ＭＤとは、光磁気ディスクとして形成され、磁界変調方式でデータの記録再生が可能とされたＭＤであり、オーディオ用途とされたＭＤを指す。
これら再生専用ＭＤと録再ＭＤは、いわゆる第１世代のＭＤであり、オーディオＭＤとして現在広く普及している。
なお、第１世代のＭＤの後に、オーディオ用途を拡張して一般データ記録用途に開発された、ＭＤ−ＤＡＴＡと呼ばれるものが存在するが、本明細書ではＭＤ−ＤＡＴＡは上記録再ＭＤまたは再生専用ＭＤに属するものとして扱う。
【００４１】
その後、ＭＤ方式に準拠して高密度化を進めた次世代ＭＤが開発された。これらを高密度ＭＤとする。ここで言う高密度ＭＤは、「Ｈｉ−ＭＤ」とも呼ばれるディスクであり、汎用的なデータストレージ用途に対応可能とされ、また第１世代ＭＤに比して倍以上の記録容量を実現した。
そしてその高密度ＭＤとしても開発が進み、現状では数種類の種別が存在する。これらを上記のように「高密度ＭＤタイプＡ」「高密度ＭＤタイプＢ」「高密度ＭＤタイプＣ」と呼ぶこととする。
高密度ＭＤタイプＡは、「Ｈｉ−ＭＤ１」と呼ばれるディスクである。
高密度ＭＤタイプＢは、「Ｈｉ−ＭＤ１．５」と呼ばれるディスクである。
高密度ＭＤタイプＣは、「Ｈｉ−ＭＤ３」と呼ばれるディスクである。
また高密度ＭＤタイプＢ（Ｈｉ−ＭＤ１．５）については、エンボスピットによる再生専用型も考えられており、これを高密度ＭＤタイプＢと区別する意味で「再生専用高密度ＭＤ」と呼ぶこととする。
【００４２】
ここで図５（ａ）（ｂ）に、第１世代のＭＤ（再生専用ＭＤ、録再ＭＤ（及びＭＤ−ＤＡＴＡ））と、高密度ＭＤ（高密度ＭＤタイプＡ、高密度ＭＤタイプＢ、再生専用高密度ＭＤ、高密度ＭＤタイプＣ）の規格を比較して示す。
図５（ａ）に示すように、第１世代のＭＤ（及びＭＤ−ＤＡＴＡ）のフォーマットとしては、トラックピッチは１．６μｍ、ビット長は０．５９μｍ／ｂｉｔとなる。また、レーザ波長λ＝７８０ｎｍとされ、光学ヘッドの開口率ＮＡ＝０．４５とされる。
【００４３】
録再ＭＤでは、記録方式としては、グルーブ記録方式を採っている。つまり、グルーブ（ディスク盤面上の溝）をトラックとして記録再生に用いるようにしている。
アドレス方式としては、シングルスパイラルによるグルーブ（トラック）を形成したうえで、このグルーブの両側に対してアドレス情報としてのウォブルを形成したウォブルドグルーブを利用する方式を採るようにされている。
なお、本明細書では、ウォブリングにより記録される絶対アドレスをＡＤＩＰ（Address in Pregroove）とも呼ぶ。
再生専用ＭＤではグルーブは形成されず、エンボスピット列によりトラックが形成されており、またアドレスはデータとともに記録される。
【００４４】
これら第１世代のＭＤでは、記録データの変調方式としてはＥＦＭ（８−１４変換）方式を採用している。また、誤り訂正方式としてはＡＣＩＲＣ(Advanced Cross Interleave Reed-Solomon Code) が採用され、データインターリーブには畳み込み型を採用している。データの冗長度は４６．３％となる。
【００４５】
また、データの検出方式はビットバイビット方式である。ディスク駆動方式としてはＣＬＶ(Constant Linear Verocity)が採用されており、ＣＬＶの線速度としては、１．２ｍ／ｓとされる。
そして、記録再生時の標準のデータレートとしては、１３３ｋＢ／ｓとされ、記録容量としては、１６４ＭＢ（ＭＤ−ＤＡＴＡでは１４０ＭＢ）となる。
またクラスタというデータ単位がデータの最小書換単位とされるが、このクラスタは、３２個のメインセクターと４個のリンクセクターによる３６セクターで構成される。
【００４６】
一方、高密度ＭＤとしては、現状において、２つの規格が存在する。即ち高密度ＭＤタイプＡ及びダイプＢ（再生専用高密度ＭＤを含む）としての規格と、さらに高密度化が実現された高密度ＭＤタイプＣとしての規格である。
【００４７】
先ず、高密度ＭＤタイプＡ／タイプＢの場合は、トラックピッチが１．５〜１．６μｍ、線密度０．４３７μｍ／bitであり、記録容量としては３００ＭＢまで高くなっている。また、標準速度における転送レートは、４．３７Ｍｂｐｓ、線速度は、２．４ｍ／secとなっている。
また、高密度ＭＤタイプＣの場合は、トラックピッチが１．２５μｍ、線密度０．１６μｍ／bitであり、記録容量は１ＧＢにまで高められている。また、標準速度における転送レートは、９．８３Ｍｂｐｓ、線速度は、１．９８ｍ／secとなっている。
【００４８】
なお、図５（ｂ）には示していないが、高密度ＭＤでの記録データの変調方式としては、高密度記録に適合するとされるＲＬＬ（１，７）ＰＰ方式（ＲＬＬ；Run Length Limited、ＰＰ：Parity preserve/Prohibit rmtr(repeated minimum transition runlength)）が採用され、誤り訂正方式としては、より訂正能力の高いＢＩＳ（Burst Indicator Subcode）付きのＲＳ−ＬＤＣ（Reed Solomon−Long Distance Code）方式を用いている。データインターリーブにはブロック完結型が採用される。データの冗長度は２０．５０％とされる。
またデータの検出方式はパーシャルレスポンスＰＲ（１，２，１）ＭＬを用いたビタビ復号方式とされる。
なおＲＬＬ（１−７）変調及びＲＳ−ＬＤＣ誤り訂正方式については、例えば「特開平１１−３４６１５４号公報」や、「国際特許公開公報ＷＯ  ００／０７３００」などに開示されている技術である。
またディスク駆動方式はＣＬＶ（Constant Linear Verocity）又はＺＣＡＶ（Zone Constant Angular Verocity）である。
【００４９】
５．ストレージ部の構成
上記図４に示したストレージ部２は、以上のような第１世代のＭＤと汎用データ記録媒体としての高密度ＭＤに対応できるディスクドライブ部とされる。
このストレージ部２の構成例を図６に示す。
【００５０】
図示するディスク９０は、上述した各種のディスクである。ディスク９０はカートリッジ９１に収納されている。
ストレージ部２においては、装填されたディスク９０をスピンドルモータ３０によってＣＬＶ方式で回転駆動させる。
このディスク９０に対しては記録／再生時に光学ヘッド２０によってレーザ光が照射される。
光学ヘッド２０は、記録時には記録トラックをキュリー温度まで加熱するための高レベルのレーザ出力を行い、また再生時には磁気カー効果により反射光からデータを検出するための比較的低レベルのレーザ出力を行う。このため、光学ヘッド２０には、ここでは詳しい図示は省略するがレーザ出力手段としてのレーザダイオード、偏光ビームスプリッタや対物レンズ等からなる光学系、及び反射光を検出するためのフォトディテクタが搭載されている。光学ヘッド２０に備えられる対物レンズとしては、例えば２軸機構によってディスク半径方向及びディスクに接離する方向に変位可能に保持されている。
【００５１】
また、ディスク９０を挟んで光学ヘッド２０と対向する位置には磁気ヘッド１９が配置されている。磁気ヘッド１９は記録データによって変調された磁界をディスク９０に印加する動作を行う。
また、図示しないが光学ヘッド２０全体及び磁気ヘッド１９をディスク半径方向に移動させるためスレッドモータ及びスレッド機構が備えられている。
【００５２】
このストレージ部２では、光学ヘッド２０、磁気ヘッド１９による記録再生ヘッド系、スピンドルモータ３０によるディスク回転駆動系のほかに、記録処理系、再生処理系、サーボ系等が設けられる。
記録処理系では、第１世代ＭＤに対する記録時に第１の変調方式の変調（ＥＦＭ変調・ＡＣＩＲＣエンコード）を行う部位と、高密度ＭＤに対する記録時に第２の変調方式（ＲＬＬ（１−７）ＰＰ変調、ＲＳ−ＬＤＣエンコード）の変調を行う部位が設けられる。
再生処理系では、第１世代ＭＤ（及び高密度ＭＤのＵ−ＴＯＣ）の再生時に第１の変調方式に対する復調（ＥＦＭ復調・ＡＣＩＲＣデコード）を行う部位と、高密度ＭＤの再生時に第２の変調方式に対する復調（パーシャルレスポンスＰＲ（１，２，１）及びビタビ復号を用いたデータ検出に基づくＲＬＬ（１−７）復調、ＲＳ−ＬＤＣデコード）を行う部位が設けられる。
【００５３】
光学ヘッド２０のディスク９０に対するレーザ照射によりその反射光として検出された情報（フォトディテクタによりレーザ反射光を検出して得られる光電流）は、ＲＦアンプ２２に供給される。
ＲＦアンプ２２では入力された検出情報に対して電流−電圧変換、増幅、マトリクス演算等を行い、再生情報としての再生ＲＦ信号、トラッキングエラー信号ＴＥ、フォーカスエラー信号ＦＥ、グルーブ情報（ディスク９０にトラックのウォブリングにより記録されているＡＤＩＰ情報）等を抽出する。
【００５４】
第１世代ＭＤの再生時には、ＲＦアンプで得られた再生ＲＦ信号は、ＥＦＭ復調部２５及びＡＣＩＲＣデコーダ２６で処理される。
即ち再生ＲＦ信号は、ＥＦＭ復調部２５で２値化されてＥＦＭ信号列とされた後、ＥＦＭ復調され、さらにＡＣＩＲＣデコーダ２６で誤り訂正及びデインターリーブ処理される。即ちこの時点でＡＴＲＡＣ圧縮データの状態となる。
そして第１世代ＭＤの再生時には、セレクタ２７はＢ接点側が選択されており、当該復調されたＡＴＲＡＣ圧縮データがディスク９０からの再生データとして出力される。即ちデータバッファ３３を介してストレージ部２から出力され、図４のキャッシュメモリ３に圧縮データが供給されることになる。
【００５５】
一方、高密度ＭＤの再生時には、ＲＦアンプ２２で得られた再生ＲＦ信号は、ＲＬＬ（１−７）ＰＰ復調部２３及びＲＳ−ＬＤＣデコーダ２４で処理される。
即ち再生ＲＦ信号は、ＲＬＬ（１−７）ＰＰ復調部２３において、ＰＲ（１，２，１）及びビタビ復号を用いたデータ検出によりＲＬＬ（１−７）符号列としての再生データを得、このＲＬＬ（１−７）符号列に対してＲＬＬ（１−７）復調処理が行われる。そして更にＲＳ−ＬＤＣデコーダ２４で誤り訂正及びデインターリーブ処理される。
そして高密度ＭＤの再生時には、セレクタ２７はＡ接点側が選択されており、当該復調されたデータがディスク９０からの再生データとして出力される。即ちデータバッファ３３を介してストレージ部２から出力され、図４のキャッシュメモリ３に復調データが供給されることになる。
【００５６】
ＲＦアンプ２２から出力されるトラッキングエラー信号ＴＥ、フォーカスエラー信号ＦＥはサーボ回路２８に供給され、グルーブ情報はＡＤＩＰ復調部３１に供給される。
【００５７】
ＡＤＩＰ復調部３１は、グルーブ情報に対してバンドパスフィルタにより帯域制限してウォブル成分を抽出した後、ＦＭ復調、バイフェーズ復調を行ってＡＤＩＰアドレスを抽出する。
抽出された、ディスク上の絶対アドレス情報であるＡＤＩＰアドレスはストレージコントローラ（ＣＰＵ）３２に供給される。ストレージコントローラ３２ではＡＤＩＰアドレスに基づいて、所要の制御処理を実行する。
またグルーブ情報はスピンドルサーボ制御のためにサーボ回路２８に供給される。
【００５８】
サーボ回路２８は、例えばグルーブ情報に対して再生クロック（デコード時のＰＬＬ系クロック）との位相誤差を積分して得られる誤差信号に基づき、ＣＬＶサーボ制御のためのスピンドルエラー信号を生成する。
またサーボ回路２８は、スピンドルエラー信号や、上記のようにＲＦアンプ２２から供給されたトラッキングエラー信号ＴＥ、フォーカスエラー信号ＦＥ、或いはストレージコントローラ３２からのトラックジャンプ指令、アクセス指令等に基づいて各種サーボ制御信号（トラッキング制御信号、フォーカス制御信号、スレッド制御信号、スピンドル制御信号等）を生成し、モータドライバ２９に対して出力する。即ち上記サーボエラー信号や指令に対して位相補償処理、ゲイン処理、目標値設定処理等の必要処理を行って各種サーボ制御信号を生成する。
【００５９】
モータドライバ２９では、サーボ回路２８から供給されたサーボ制御信号に基づいて所要のサーボドライブ信号を生成する。ここでのサーボドライブ信号としては、二軸機構を駆動する二軸ドライブ信号（フォーカス方向、トラッキング方向の２種）、スレッド機構を駆動するスレッドモータ駆動信号、スピンドルモータ３０を駆動するスピンドルモータ駆動信号となる。
このようなサーボドライブ信号により、ディスク９０に対するフォーカス制御、トラッキング制御、及びスピンドルモータ３０に対するＣＬＶ制御が行われることになる。
【００６０】
ディスク９０に対して記録動作が実行される際には、キャッシュメモリ３からデータバッファ３３にデータが供給される。
第１世代ＭＤへの記録時には、セレクタ１７がＢ接点に接続され、従ってＡＣＩＲＣエンコーダ１５及びＥＦＭ変調部１６が機能することになる。
この場合、キャッシュメモリ３からの圧縮データ（入出力処理部５内のオーディオ処理による圧縮データ）は、ＡＣＩＲＣエンコーダ１５でインターリーブ及びエラー訂正コード付加が行われた後、ＥＦＭ変調部１６でＥＦＭ変調が行われる。
そしてＥＦＭ変調データがセレクタ１７を介して磁気ヘッドドライバ１８に供給され、磁気ヘッド１９がディスク９０に対してＥＦＭ変調データに基づいた磁界印加を行うことでデータ記録が行われる。
【００６１】
高密度ＭＤへの記録時には、セレクタ１７がＡ接点に接続され、従ってＲＳ−ＬＤＣエンコーダ１３及びＲＬＬ（１−７）ＰＰ変調部１４が機能することになる。
この場合、キャッシュメモリ３からの高密度データはＲＳ−ＬＤＣエンコーダ１３でインターリーブ及びＲＳ−ＬＤＣ方式のエラー訂正コード付加が行われた後、ＲＬＬ（１−７）ＰＰ変調部１４でＲＬＬ（１−７）変調が行われる。
そしてＲＬＬ（１−７）符号列としての記録データがセレクタ１７を介して磁気ヘッドドライバ１８に供給され、磁気ヘッド１９がディスク９０に対して変調データに基づいた磁界印加を行うことでデータ記録が行われる。
【００６２】
レーザドライバ／ＡＰＣ２１は、上記のような再生時及び記録時においてレーザダイオードにレーザ発光動作を実行させるが、いわゆるＡＰＣ（Automatic Lazer Power Control）動作も行う。
即ち、図示していないが、光学ヘッド２０内にはレーザパワーモニタ用のディテクタが設けられ、そのモニタ信号がレーザドライバ／ＡＰＣ２１にフィードバックされる。レーザドライバ／ＡＰＣ２１は、モニタ信号として得られる現在のレーザパワーを、設定されているレーザパワーと比較して、その誤差分をレーザ駆動信号に反映させることで、レーザダイオードから出力されるレーザパワーが、設定値で安定するように制御している。
なお、レーザパワーとしては、再生レーザパワー、記録レーザパワーとしての値がストレージコントローラ３２によって、レーザドライバ／ＡＰＣ２１内部のレジスタにセットされる。
【００６３】
以上の各動作（アクセス、各種サーボ、データ書込、データ読出、データ転送の各動作）は、システムコントローラ８からの指示に基づいたストレージコントローラ３２の制御によって実行される。
【００６４】
また後述するが、ミニディスクとしてのディスク９０を収納するカートリッジ９１には、書込可否やディスク反射率を示すための検出孔が形成され、特に書込可否の検出孔はユーザーの操作によって開閉可能とされている。
ストレージ部２においては、このようなカートリッジ９１の検出孔の状態（開閉又は有無）を検出するために上述した検出孔判別部５０が設けられている。
【００６５】
図２，図３にも示したように、検出孔判別部５０には、ディスク装填時に、そのカートリッジ９１上の２つの検出孔に対向することになる位置に突出部５２Ｒ，５２Ｌが形成されており、検出孔が開いている場合は、突出部５２Ｒ，５２Ｌは検出孔内に突入し、図３における当接部５２Ｕと検出スイッチ部５３は接触していない（オフ）ものとなる。一方、検出孔が閉じられている場合（又は存在しない場合）は、突出部５２Ｒ，５２Ｌが押圧され、押圧子５２の当接部５２Ｕと検出スイッチ部５３が接触する（オン）ものとされている。
この検出スイッチ部５３のオン／オフの状態はストレージコントローラ３２に供給され、これによってストレージコントローラ３２は検出孔の状態を確認できることになる。
【００６６】
なお、この構成例ではストレージ部２内にストレージコントローラ３２を設けたが、システムコントローラ８がストレージ部２内の各部を直接制御するような構成例も考えられる。
【００６７】
６．カートリッジ検出孔
上述した各種ディスクのカートリッジ９１に設けられる検出孔について説明する。図７〜図１０により各種ディスクのカートリッジ底面及び側面を示す。
図７〜図１０に示すＭＤの範疇のディスクの場合、ディスク９０は扁平なカートリッジ９１に収納され、その内部で回転可能とされている。そしてカートリッジ９１にはスライド式のシャッタ９２が設けられ、各図のようにシャッタ９２があけられることで内部のディスク９０が表出する。なお、このシャッタ９２は通常は閉じてディスク９０を隠蔽しており、ディスクドライブ装置に装填されると、そのデッキ内の機構によりスライドされて開けられるものとされる。
【００６８】
図７は再生専用ＭＤを示している。再生専用ＭＤの場合、カートリッジ９１の底面側の図示する所定位置に検出孔Ｈ０が形成される。
この検出孔Ｈ０の位置は、書込可否の判別のための位置とされ、検出孔Ｈ０が存在すること（検出孔Ｈ０が開状態となっていること）は書込不可（書込不能）を提示するものとなる。
再生専用ＭＤの場合は、当然書込不能であることから、単に検出孔Ｈ０としての孔が形成されているのみで、その開閉機構は設けられていない。従ってカートリッジ９１の側面等には、開閉のためのスライダは設けられない。
【００６９】
図９（ａ）（ｂ）は、録再ＭＤ及び高密度ＭＤタイプＡのカートリッジ９１を示している。
この場合、検出孔Ｈ０、Ｈ１が設けられる。検出孔Ｈ０は、再生専用ＭＤと同様に書込可否を設定するためのものである。そしてこの場合、スライダ９３が設けられ、検出孔Ｈ０はスライダ９３の位置によって、図９（ａ）の閉状態と図９（ｂ）の開状態をとることができる。即ちユーザーはスライダ９３を操作して図９（ａ）（ｂ）のように検出孔Ｈ０を開閉させ、書込可／書込不可を設定できる。
検出孔Ｈ０の開状態は書込不可、閉状態は書込可能を意味する。開状態が書込不可とされることで、上記再生専用ＭＤの場合と検出孔Ｈ０が示す意味が一致される。
【００７０】
図９における２つ目の検出孔Ｈ１は、ディスク９０の反射率を示すものとされる。録再ＭＤ及び高密度ＭＤタイプＡは光磁気ディスクであり、再生専用ＭＤがエンボスピットが形成された光ディスクであることと異なる。そして光磁気ディスクは光ディスクに比較して反射率が極めて低い。例えば光ディスクが反射率７０％程度であることに比べ、光磁気ディスクは１５〜３０％程度である。このためディスクドライブ装置（ストレージ部２）側では、ディスクが光ディスクであるか光磁気ディスクであるかにより内部の信号処理設定（例えばＲＦゲイン等）を変更しなければならず、この判別のために検出孔Ｈ１が設けられる。
そして、検出孔Ｈ１が存在する（開状態とされる）ことが、低反射率を示すものとなる。この場合、当然ながら、検出孔Ｈ１はスライダ９３によって開閉されるものではない。即ち検出孔Ｈ１として固定の孔が形成される。
一方、上記再生専用ＭＤの場合は、検出孔Ｈ１が存在しないことで、高反射率であることを提示しているものとなる。
【００７１】
図１０（ａ）（ｂ）は高密度ＭＤタイプＢ／タイプＣのカートリッジ９１を示しており、図示するように検出孔Ｈ０、Ｈ１が設けられる。なお、ここでは検出孔Ｈ１は長孔とされているが、これは一例であり、上記図９と同様の円形であってもよい。
検出孔Ｈ１はスライダ９３によって、図１０（ａ）の閉状態と図１０（ｂ）の開状態に切り換えることができる。なお、図からわかるようにスライダ９３の操作方向は、例えば図９の録再ＭＤ、高密度ＭＤタイプＡと同じ方向である。
この高密度ＭＤタイプＢ／タイプＣの場合は、検出孔Ｈ１が図１０（ａ）の閉状態にあることが書込可、図１０（ｂ）の開状態にあることが書込不可を示すものとなる。
一方検出孔Ｈ０はスライダ９３の位置に関わらず、開状態が保たれる。
【００７２】
また図８には高密度ＭＤタイプＢにおけるエンボスピットディスクとなる再生専用高密度ＭＤのカートリッジ９１を示すが、この場合、検出孔Ｈ０、Ｈ１が共に、常に開状態の固定の孔として形成される。固定孔による検出孔Ｈ０が常に開状態にあることは、図１０の高密度ＭＤタイプＢ／タイプＣと同様である。
図８の再生専用高密度ＭＤで、固定孔としての検出孔Ｈ１が設けられることは、これが書込不能なディスクであることによる。即ち上記図９の検出孔Ｈ１は開状態が書込不可を示すものとなるが、図８の再生専用高密度ＭＤでは、固定の検出孔Ｈ１を形成することで「開状態」とし、書込不可（書込不能）を提示するものとしている。
【００７３】
なお、どちらも再生専用の光ディスクである図７と図８を比較すると、図７の再生専用ＭＤでは検出孔Ｈ０が存在すること（開状態）が「書込不可（書込不能）」を提示し、図８の再生専用高密度ＭＤでは検出孔Ｈ１が存在すること（開状態）が「書込不可（書込不能）」を提示するものとなる。
【００７４】
以上のように、図１０の高密度ＭＤタイプＢ／タイプＣ及び図８の再生専用高密度ＭＤに固定の検出孔Ｈ０を形成するのは、第１世代ＭＤのみに対応する旧来のディスクドライブ装置（旧来機種）において、これら高密度ＭＤタイプＢ／タイプＣ及び再生専用高密度ＭＤを、「書込不可」と認識させる機能を持たせるものとなる。旧来機種は、検出孔Ｈ０の位置の開状態を「書込不可」と認識するためである。
また、検出孔Ｈ０を開状態に固定することで、高密度ＭＤタイプＢ／タイプＣにおいて検出孔Ｈ０を書込可否設定に使用できないことから、検出孔Ｈ１を書込可否設定に用いるようにする。
【００７５】
このように検出孔Ｈ０，Ｈ１の意味が、再生専用ＭＤ、録再ＭＤ、高密度ＭＤタイプＡの場合と、高密度ＭＤタイプＢ／タイプＣ及び再生専用高密度ＭＤの場合とで異なることになると、高密度ＭＤタイプＢ／タイプＣに対してデータ書込を行うことのできるディスクドライブ装置側は、単に検出孔の状態だけで書込可否を判別できない。そこで詳しくは後述するが、これらの各種別のＭＤが装填されるのディスクドライブ装置（ストレージ部２）では、ディスク種別を検出し、その種別に応じて検出孔Ｈ０，Ｈ１による意味を決定するようにしている。
【００７６】
７．ディスク種別判別
ここでは、ディスク種別判別のための手法（判別要素）を説明し、その後、判別要素を組み合わせた種別判別処理の具体例を述べる。
図１１に判別要素とディスク種別の関係を示す。
【００７７】
ミニディスクシステムの場合、ディスク上の内周側位置にＰ−ＴＯＣ、Ｕ−ＴＯＣと呼ばれる管理情報が記録されることが知られている。
これらの管理情報内容には、ディスク種別の情報も含まれており、従ってＰ−ＴＯＣ、Ｕ−ＴＯＣという管理情報の内容をディスク種別判別に利用できる。
【００７８】
管理情報によるディスク判別方式に先だって、まず各種ディスクのエリア構造について説明する。
図１２（ａ）は再生専用ＭＤのエリア構造として、ディスク内周側から外周側への半径方向の領域を帯状に示している。
図示するように、ディスクの最内周側がリードインエリアとされ、Ｐ−ＴＯＣが記録される。そしてＰ−ＴＯＣに続いてデータエリアが形成される。データエリアにはオーディオデータがトラック（楽曲）単位で予め記録される。記録されているトラックのアドレス等や各エリアの位置などがＰ−ＴＯＣによって管理される。ディスク最外周側はリードアウトエリアとなる。
この再生専用ＭＤの場合、全ての領域はピットエリアとなり、エンボスピットによりデータが記録される。
【００７９】
図１２（ｂ）は録再ＭＤのエリア構造を示している。
この場合、内周側のリードインエリアにはＰ−ＴＯＣ、Ｕ−ＴＯＣが記録される。そしてデータエリアにはユーザーサイドでオーディオトラックの記録再生が可能となる。
録再ＭＤの場合、リードインエリアの内周側のＰ−ＴＯＣの領域のみがエンボスピットによるピットエリアとなり、Ｕ−ＴＯＣの領域、データエリア、リードアウトはグルーブエリアとされ、光磁気記録による記録再生が可能とされる。
データエリアに記録されるトラックはＵ−ＴＯＣによって管理され、またＵ−ＴＯＣの内容はデータエリアでの記録、消去、編集に応じて書き換えられる。Ｐ−ＴＯＣには、基本的なエリア位置などが管理される。
【００８０】
図１２（ｃ）は高密度ＭＤタイプＡのエリア構造であるが、図からわかるように録再ＭＤと同様である。
データエリアに記録されるオーディオ、ビデオ、或いは他の種のデータファイルは、Ｐ−ＴＯＣ、Ｕ−ＴＯＣでの領域管理のうえで、ＦＡＴシステムにより管理される。
【００８１】
図１３（ａ）は高密度ＭＤタイプＢのエリア構造を示している。
この場合、ディスク最内周側はミラーエリア（ＢＣＡ：Burst Cutting Area）とされる。ここにはバーコード状のパターンが放射状に形成され、所定のＩＤ等が記録される。
ＢＣＡに続いてリードインエリアとなり、Ｐ−ＴＯＣ、Ｕ−ＴＯＣが記録される。Ｐ−ＴＯＣはエンボスピットによるピットエリアとなる。そしてＵ−ＴＯＣ、データエリア、リードアウトエリアが記録再生可能なグルーブエリアとされている。この場合も、データエリアに記録されるデータファイルは、Ｐ−ＴＯＣ、Ｕ−ＴＯＣでの領域管理のうえで、ＦＡＴシステムにより管理される。
【００８２】
図１３（ｂ）は再生専用高密度ＭＤである。これは高密度ＭＤタイプＢの再生専用型であり、このためリードインエリアにはＰ−ＴＯＣのみとなる。そしてミラーエリアを除く全領域がピットエリアとなる。
【００８３】
図１３（ｃ）は高密度ＭＤタイプＣのエリア構造を示している。
この場合も最内周側はミラーエリア（ＢＣＡ）が形成される。リードインエリアには、Ｐ−ＴＯＣ、Ｕ−ＴＯＣではなく、Ｐ−ＴＯＰと呼ばれる管理情報が記録される。
リードインエリア、データエリア、リードアウトエリアはグルーブエリアとされている。
【００８４】
各ディスクのエリア構造は以上のようになるが、これをふまえてＰ−ＴＯＣ、Ｕ−ＴＯＣによる種別判別を述べる。
まずＰ−ＴＯＣによる判別を説明する。
図１４はＰ−ＴＯＣとされるクラスタの先頭セクター（セクター０）の構造を示している。
Ｐ−ＴＯＣセクター０は、先頭に１２バイトのシンクパターンが設けられ、続いて当該セクター自体のアドレス（クラスタアドレス、セクターアドレス）が記録される。なお、このシンクパターン及びアドレスは、ミニディスクフォーマットとしての全てのセクターに共通である。
【００８５】
所定バイト位置には４バイトでシステムＩＤが記録される。
そしてさらに、ディスクタイプ、記録パワー、先頭トラックナンバ、最終トラックナンバ、リードアウトエリアのスタートアドレス、パワーキャリブレーションエリアのスタートアドレス、Ｕ−ＴＯＣのスタートアドレス、レコーダブルユーザーエリアのスタートアドレスが記録される。即ちエリア構造やディスク属性の管理情報である。
その後、ポインタ部とテーブル部が設けられる。テーブル部はトラックを構成する部分のスタートアドレス／エンドアドレスやトラックのモード情報が管理されるパーツテーブルで構成される。このパーツテーブルがポインタ部のポインタ（P-TNO1〜P-TNO255）に指定されることで、各トラックが管理されるものとなる。
ポインタP-TNO1〜P-TNO255は、それぞれ第１トラックから第２５５トラックに対応する。
なお、Ｐ−ＴＯＣによってトラックが管理されるのは、再生専用ＭＤの場合である。録再ＭＤの場合、後述するＵ−ＴＯＣのポインタ部及びテーブル部で各トラックが管理される。
【００８６】
このようなＰ−ＴＯＣには、上記のようにシステムＩＤが記録されている。このシステムＩＤとしては、第１世代ＭＤ（再生専用ＭＤ、録再ＭＤ）の場合は、「ＭＩＮＩ」という情報がアスキーコードで記録される。
一方、高密度ＭＤタイプＢの場合は、このシステムＩＤとして高密度ＭＤであることを示すコード（例えば「ＨｉＭＤ」）が記録される。
従って、Ｐ−ＴＯＣのシステムＩＤに高密度ＭＤを示すコード「ＨｉＭＤ」が存在するか否かで、図１１のようにディスク種別を判別できる。
【００８７】
つまり、高密度ＭＤを示すコード「ＨｉＭＤ」が存在しなければ、そのディスクは再生専用ＭＤ、録再ＭＤ、高密度ＭＤタイプＡのいずれかである。
高密度ＭＤを示すコード「ＨｉＭＤ」が存在すれば、そのディスクは高密度ＭＤタイプＢ又は再生専用高密度ＭＤである。
また高密度ＭＤタイプＣでは図１３（ｃ）に示したとおりＰ−ＴＯＣが設けられない。従ってＰ−ＴＯＣ自体が存在しなければ、そのディスクは高密度ＭＤタイプＣである。
【００８８】
次にＵ−ＴＯＣによる判別を述べる。
図１５はＵ−ＴＯＣとされるクラスタの先頭セクター（セクター０）の構造を示している。
Ｕ−ＴＯＣセクター０も、先頭に１２バイトのシンクパターンが設けられ、続いて当該セクター自体のアドレス（クラスタアドレス、セクターアドレス）が記録される。
また、所定バイト位置にメーカーコード、モデルコード、先頭トラックナンバ、最終トラックナンバ、Ｕ−ＴＯＣ内の使用セクター（USED SECTOR）、ディスクシリアルナンバ、ディスクＩＤが記録される。
その後、ポインタ部とテーブル部が設けられる。テーブル部はトラックを構成する部分のスタートアドレス／エンドアドレスやトラックのモード情報が管理されるパーツテーブルで構成される。このパーツテーブルがポインタ部のポインタ（P-DFA、P-EMPTY、P-FRA、P-TNO1〜P-TNO255）に指定されることで、各トラックが管理されるものとなる。
ポインタP-TNO1〜P-TNO255は、それぞれ第１トラックから第２５５トラックに対応する。
ポインタP-DFAはディスク上の欠陥エリアを管理するポインタである。
ポインタP-EMPTYは、未使用のパーツテーブルを管理するポインタである。
ポインタP-FRAは、データエリアにおける未記録領域（フリーエリア）を管理するポインタである。
【００８９】
録再ＭＤの場合は、トラックの記録、消去、編集が可能であるが、このためトラック管理はこのＵ−ＴＯＣで行われ、記録／消去／編集に応じては、ポインタ部やパーツテーブルの内容が書き換えられる。
【００９０】
ここで、上記メーカーコードとしては、製造メーカーに割り振られたコードナンバが記録されるのであるが、特に高密度ＭＤタイプＡ／タイプＢでは、このメーカーコードのエリアに高密度フォーマット（Ｈｉ−ＭＤフォーマット：図５（ｂ）のタイプＡ／タイプＢのフォーマット）のディスクであることの識別子が記録される。
従って、このメーカーコードの情報により、図１１に示す種別判別が可能となる。
【００９１】
つまり、Ｕ−ＴＯＣに高密度ＭＤフォーマットを示すコードが存在しなければ、そのディスクは録再ＭＤである。
高密度ＭＤフォーマットを示すコードが存在すれば、そのディスクは高密度ＭＤタイプＡ又はタイプＢである。
また高密度ＭＤタイプＣでは図１３（ｃ）に示したとおりＵ−ＴＯＣが記録されない。また図１２（ａ）、図１３（ｂ）のように再生専用ＭＤ及び再生専用高密度ＭＤはＵ−ＴＯＣ自体が存在しない。従ってＵ−ＴＯＣが存在しなければ、そのディスクは高密度ＭＤタイプＣ、再生専用ＭＤ、再生専用高密度ＭＤのいずれかである。
【００９２】
これらの判別要素により、ミニディスクの範疇におけるディスク６種類の種別（再生専用ＭＤ、録再ＭＤ、高密度ＭＤタイプＡ、高密度ＭＤタイプＢ、再生専用高密度ＭＤ、高密度ＭＤタイプＣ）を判別できることになる。
【００９３】
なお、ここでは管理情報を用いることによりミニディスクの種別判別を行っているが、他にもディスクからの反射光に基づく信号から、ディスクの反射率検出、上記信号の位相差検出、記録媒体のアドレス構造検出等、異なる種別判別方法を用い、ミニディスクの種別判別を行ってもよい。
【００９４】
図１６にディスク種別判別方法の処理を示し、このフローチャート図に沿って種別判別処理を説明する。
まずステップＦ６０１で、Ｕ−ＴＯＣの存在を確認する。
Ｕ−ＴＯＣが存在する場合はステップＦ６０２に進み、Ｕ−ＴＯＣエリアのメーカーコードにおける高密度フォーマットの識別コードの有無を確認する。
そしてＵ−ＴＯＣにおいて高密度フォーマットの識別コードが無ければ、ステップＦ６０６に進んで、装填されているディスクは録再ＭＤと判別する。
Ｕ−ＴＯＣに高密度フォーマットの識別コードが存在すれば、ステップＦ６０５に進み、Ｐ−ＴＯＣの領域を再生して、システムＩＤとして高密度ＭＤを示すコード「ＨｉＭＤ」が記録されているか否かを判定する。
ここで高密度ＭＤを示すコードがあれば、ステップＦ６１１に進んで、そのディスクは高密度ＭＤタイプＢと判別する。
一方、Ｐ−ＴＯＣに高密度ＭＤを示すコードがなければ、ステップＦ６１０に進んで、そのディスクは高密度ＭＤタイプＡと判別する。
【００９５】
ステップＦ６０１でＵ−ＴＯＣが存在しないと判別された場合は、ステップＦ６０３でＰ−ＴＯＣの有無を確認する。
ここでＰ−ＴＯＣが存在しなければ、ステップＦ６０７に進んで、そのディスクは高密度ＭＤタイプＣと判別する。
Ｐ−ＴＯＣが存在した場合は、ステップＦ６０４に進み、Ｐ−ＴＯＣのシステムＩＤとして高密度ＭＤを示すコード「ＨｉＭＤ」が記録されているか否かを判定する。
ここで高密度ＭＤを示すコードがあれば、ステップＦ６０９に進んで、そのディスクは再生専用高密度ＭＤと判別する。
一方、Ｐ−ＴＯＣに高密度ＭＤを示すコードが存在しなかった場合は、ステップＦ６０８に進んで、装填されているディスクは再生専用ＭＤと判別する。
【００９６】
以上の処理で、管理情報としてのＰ−ＴＯＣ検出、Ｕ−ＴＯＣ検出の組み合せにより、再生専用ＭＤ、録再ＭＤ、高密度ＭＤタイプＡ、高密度ＭＤタイプＢ、再生専用高密度ＭＤ、高密度ＭＤタイプＣの種別を判別できる。
【００９７】
８．書込可否判別処理
続いてディスク９０のカートリッジ９１に形成されている検出孔Ｈ０，Ｈ１による提示情報、特に書込可否の設定状態の判別処理について説明する。
先に説明したように、再生専用ＭＤ、録再ＭＤ、高密度ＭＤタイプＡについては、検出孔Ｈ０が書込可否設定に用いられ、一方、高密度ＭＤタイプＢ、再生専用高密度ＭＤ、高密度ＭＤタイプＣでは、検出孔Ｈ１が書込可否設定に用いられる。
従って、カートリッジ９１が記録再生装置１に装填された場合に、そのディスク９０について書込可／不可を判定するには、ディスク種別判別結果と、検出孔Ｈ０，Ｈ１の開閉状態の判別結果を組み合わせて判別するようにする。
【００９８】
図１７（ａ）（ｂ）に検出孔Ｈ０，Ｈ１の開閉状態をモードとして示す。また、検出孔Ｈ０，Ｈ１の開閉状態による検出孔判別部５０の内部動作を図１８に示す。
図１７（ａ）は再生専用ＭＤ、録再ＭＤ、高密度ＭＤタイプＡの場合である。
この場合、検出孔Ｈ０が書込可否設定（ライトプロテクト）の検出に用いられ、一方、検出孔Ｈ１が反射率の検出に用いられる。
２つの検出孔の開閉状態のモードとしては、図示するモード０〜モード３が考えられる。
【００９９】
モード０は、検出孔Ｈ０、Ｈ１がともに開状態となるモードである。
このときの検出孔判別部５０の内部動作は、図１８（ａ）の状態となる。これは、押圧子突出部５２Ｒ，５２Ｌは押圧されないため、押圧子５２は所定位置から移動はしない。このため、当接部５２Ｕは検出スイッチ部５３から所定の間隔を開けた状態、つまりスイッチがオフの状態となる。このため、録再ＭＤ又は高密度ＭＤタイプＡにおいて、書込不可となる。
【０１００】
モード１は、検出孔Ｈ０が開状態、検出孔Ｈ１が閉状態、つまり、再生専用ＭＤ（書込不能）を提示するものとなる。このため、装置内部にて再生専用ＭＤと認識するため、検出スイッチ部５３のオン・オフに関わらず、書き込むことは不可能となる。
【０１０１】
モード２は、検出孔Ｈ０が閉状態、検出孔Ｈ１が開状態となるモードである。
このときの検出孔判別部５０の内部動作は図１８（ｃ）の状態となる。これは、所定位置に在る押圧子５２は、突出部５２Ｒが検出孔Ｈ０により押圧され、押圧子５２は下方へと移動する。そのため、当接部５２Ｕは検出スイッチ部５３と接触する。つまり、スイッチがオンの状態となる。このため、録再ＭＤ又は高密度ＭＤタイプＡにおいて、書込可となる。
【０１０２】
モード３は、検出孔Ｈ０、Ｈ１がともに閉状態となるモードである。先に述べた図７，図９による説明からわかるように、このモード３は、あり得ない。
【０１０３】
図１７（ｂ）は高密度ＭＤタイプＢ、再生専用高密度ＭＤ、高密度ＭＤタイプＣの場合である。
この場合、検出孔Ｈ０は常に開状態であり、検出孔Ｈ１が書込可否設定（ライトプロテクト）の検出に用いられる。
この場合も検出孔Ｈ０，Ｈ１の開閉状態のモードとして、図１７（ａ）と同様の状態を、それぞれモード０〜モード３とすると、次のようになる。
【０１０４】
検出孔Ｈ０、Ｈ１がともに開状態となるモード０は、図１８（ａ）のように、突出部５２Ｒ，５２Ｌは押圧されないため、押圧子５２は所定位置から移動はしない。そのため、当接部５２Ｕは検出スイッチ部５３と所定の間隔を開けた状態、つまりスイッチがオフの状態となる。このため、高密度ＭＤタイプＢ、高密度ＭＤタイプＣは書込不可となる。
なお、再生専用高密度ＭＤの場合は、必ずこのモード０となり、書込不能を提示するものとなる。
【０１０５】
検出孔Ｈ０が開状態、検出孔Ｈ１が閉状態となるモード１は、図１８（ｂ）のように、所定位置に在る押圧子５２は、突出部５２Ｌが検出孔Ｈ１により押圧されるため、下方へと移動し、押圧子５２の当接部５２Ｕは検出スイッチ部５３と接触した状態、つまりスイッチがオンの状態となる。このため、高密度ＭＤタイプＢ、高密度ＭＤタイプＣは書込可となる。
【０１０６】
検出孔Ｈ０が閉状態、検出孔Ｈ１が開状態となるモード２、及び検出孔Ｈ０、Ｈ１がともに閉状態となるモード３は、共にあり得ない。
【０１０７】
図１７，図１８を用いて説明したように、検出孔Ｈ０、Ｈ１の開閉状態に応じた各モードは、ディスク種別に応じて意味が異なることになる。そのため、前述したディスク種別判別を実行することにより、検出孔からの書込可否判別が行える。換言すれば、書込可否判別を行うには、検出用デバイスであるスイッチが１つあれば行えることがわかる。
つまり、図２，図３で説明した構造の検出孔判別部５０による検出信号（検出孔判別部５０のオン／オフ）により、ストレージコントローラ３２は、装填されたディスク９０に対して書込可／不可を適正に判別できる。
【０１０８】
なお、以上の実施の形態における検出孔判別部５０では、２つの突出部のいずれかが押圧されたかどうかをスイッチのオン・オフを用いて判別していたが、複数の突出孔に対し複数の突出部を持たせた押圧子を使用し、複数の突出部の少なくとも１つが押圧されたかどうかの判別を、当接部と検出スイッチ部におけるスイッチのオン・オフを用いて判別するようにしてもよい。つまり、複数の情報をオン・オフ信号という一つの信号に変換可能なため、上記実施の形態における検出孔判別部５０のような検出装置は、ディスクドライブ装置に限らず、様々な機器、例えば、ＯＲ回路を用いた装置等で適用できる。
【０１０９】
９．他の検出孔判別部の構造
ところで上記実施の形態の記録再生装置１に搭載する検出孔判別部５０は、図１９，図２０のような構成のものでもよい。
図１９（ａ）（ｂ）（ｃ）（ｄ）は、検出孔判別部５０としての他の例の平面図、側面図、正面図、底面図であり、また図１９（ｅ）は、その検出孔判別部５０の内部回路を示している。図２０（ａ）（ｂ）は、この検出孔判別部５０の内部構造を模式的に示したものである。
【０１１０】
この場合も、図１９からわかるように、外観上は上述した図２と似たものとなり、この検出孔判別部５０は、ガイド部５１を筐体とし、その上面の略円形の穴である突出孔５１Ｒ，５１Ｌからは、突出部５２Ｒ、５２Ｌが突出される構造となっている。
そしてこの場合、図２０からわかるように、ガイド部５１内には、それぞれ２つの押圧子５２Ｒ、５２Ｌ、検出スイッチ部５３ａ、５３ｂ、付勢部５４ａ、５４ｂを有する構成とされている。
【０１１１】
押圧子５２Ｒの上部が突出部５２Ｒとなる。また押圧子５２Ｒの下部は当接部５２Ｕａとされ、これが検出スイッチ部５３ａと対向する。押圧子５２Ｒの下方には、コイルばね等の付勢部５４ａが押圧子５２Ｒを下から支えるように設けられている。この付勢部５４ａの付勢力により押圧子５２Ｒは中空に静止した状態、つまり突出部５２Ｒが突出孔５１Ｒから最大に突出する所定の位置に維持される。このとき、押圧子５２Ｒの当接部５２Ｕａは、検出スイッチ部５３ａと所定の間隔を開けた状態となる。
また押圧子５２Ｌの上部が突出部５２Ｌとなる。また押圧子５２Ｌの下部は当接部５２Ｕｂとされ、これが検出スイッチ部５３ｂと対向する。押圧子５２Ｌの下方には、コイルばね等の付勢部５４ｂが押圧子５２Ｌを下から支えるように設けられている。この付勢部５４ｂの付勢力により押圧子５２Ｌは中空に静止した状態、つまり突出部５２Ｌが突出孔５１Ｌから最大に突出する所定の位置に維持される。このとき、押圧子５２Ｌの当接部５２Ｕｂは、検出スイッチ部５３ｂと所定の間隔を開けた状態となる。
【０１１２】
検出スイッチ部５３ａ、５３ｂは、図１９（ｅ）の回路を構成するスイッチとなる。そしてそれぞれ当接部５２Ｕａ，５２Ｕｂによって接触もしくは押されたとき、つまり押圧子５２Ｒ、５２Ｒが所定位置から下へと移動したときに、図１９（ｅ）の回路における各スイッチはオンの状態となり、また、当接部５２Ｕが検出スイッチ部５３と所定の間隔を開けているとき、つまり押圧子５２Ｒ、５２Ｌが所定位置に在るときは、各スイッチはオフの状態となる。
即ちこの構造例の場合は、押圧子５２Ｒ、５２Ｌはそれぞれ独立したスイッチである検出スイッチ部５３ａ，５３ｂをオン／オフさせるものとなる。
検出スイッチ部５３ａ、５３ｂは、それぞれ上面には当接部５２Ｕａ、５２Ｕｂと接する接点部が設けられ、また端子部Ｔａ，Ｔｂ，Ｔｃとの接続点が設けられていることで、図１９（ｅ）の回路が形成される。端子Ｔａ，Ｔｂ，Ｔｃは図１９（ａ）のように筐体であるガイド部５１の外に形成され、図１に示したプリント基板６４の所定位置に接続される。
【０１１３】
このような検出孔判別部５０を用いても、上述したディスク９０の書込可否判別を行うことができる。つまり、例えばストレージコントローラ３２は端子Ｔａ、Ｔｂ、Ｔｃの信号状態から、検出スイッチ部５３ａ、５３ｂのいずれか一方がオンとされたことを検出したときに、上述した実施の形態でいうオン状態と判別すればよい。つまり、再生専用ディスクを除いて言えば、いずれか一方でもオンとなった場合に、書込可能と判断すればよい。
その意味で言えば、図１９（ｅ）の回路において、端子Ｔｃに所定の電位を与えるとすると、ストレージコントローラ３２は、端子Ｔａ，Ｔｂの電圧状態をオア回路で判断して、その出力を書込可否判断の信号としても良いし、或いは端子Ｔａ，Ｔｂを接続し、その電圧状態を書込可否判断の信号としてもよい。
【０１１４】
１０．検出孔判別部の突出長の設定
ところで、図２（ｃ）、或いは図１９（ｃ）に見られるように、本例の検出孔判別部５０においては、突出部５２Ｒ、５２Ｌの突出長は異なるものとされている。
この事情について図２１〜図２４を用いて説明する。
まず、本実施の形態のディスクの検出孔Ｈ０，Ｈ１の構造を詳しく説明する。この場合のディスクとは、高密度ＭＤタイプＢ／タイプＣとしてのディスクに相当するものである。
【０１１５】
図２１（ａ）（ｂ）（ｃ）（ｄ）（ｅ）は、ディスクカートリッジの底面図、平面図、背面図、及び左右各側面図を示している。図２１（ａ）に示されるように、カートリッジ底面側の所定位置に検出孔Ｈ０，Ｈ１が形成されることは、図１０で述べたとおりである。
また図２１（ｅ）のようにカートリッジ側面にはスライダ９３が形成され、このスライダ９３の操作によって、検出孔Ｈ１側のみを開閉することができる。
【０１１６】
カートリッジ側面及び図２１のＡ−Ａ断面を図２２に示す。図２２（ａ）（ｂ）は検出孔Ｈ１を閉状態とした場合、図２２（ｃ）（ｄ）は検出孔Ｈ１を開状態とした場合を示している。
さらに、検出孔Ｈ１が閉状態にあるときのカートリッジ９１の底面側から見た検出孔Ｈ０，Ｈ１の部分の拡大図を図２３（ａ）に示し、その際のＢ−Ｂ断面を図２３（ｂ）に示す。
また検出孔Ｈ１が開状態にあるときのカートリッジ９１の底面側から見た検出孔Ｈ０，Ｈ１の部分の拡大図を図２３（ｃ）に示し、その際のＤ−Ｄ断面及びＣ−Ｃ断面を図２３（ｄ）（ｅ）に示す。
【０１１７】
各図からわかるように、スライダ９３は、検出孔Ｈ０に対応する位置においてカートリッジ厚み方向に窪んだ窪み部９３ａと、検出孔Ｈ１に対応する位置でカートリッジ厚み方向に突出する凸部９３ｂと、開状態及び閉状態としての各スライド位置を維持するための係止部９３ｃと、ユーザーのスライド操作のための操作突起９３ｄを有する形状とされる。
【０１１８】
操作突起９３ｄにより、ユーザーは図２２（ａ）（ｃ）に示すようにスライダ９３をスライド操作できる。
図２２（ａ）の位置の場合、スライダ９３は、図２３（ａ）に示すように、その係止部９３ｃが、カートリッジ内に形成されている波形のリブ９５の第１の湾曲部９５ａに係合することで、その位置状態を維持する。
また図２２（ｃ）の位置の場合、スライダ９３は、図２３（ｃ）に示すように、その係止部９３ｃが、波形のリブ９５の第２の湾曲部９５ｂに係合することで、その位置状態を維持する。
【０１１９】
スライダ９３において検出孔Ｈ０に対応する位置の窪み部９３ａは、図２３（ａ）（ｂ）（ｃ）（ｅ）からわかるように、検出孔Ｈ０としての孔サイズより広い範囲で厚み方向に一段窪んだ部位とされている。つまり、スライダ９３において、検出孔Ｈ１を開閉する凸部９３ｂの部分は肉厚は厚く、一方、検出孔Ｈ０に対応する部分は窪み部９３ａとして肉厚が薄く形成されている。
これによって、図２３（ａ）（ｃ）からわかるように、スライダ９３がどちらの位置にある場合でも、検出孔Ｈ０を塞がないようにされている。従って検出孔Ｈ０は常に開状態とされる。
【０１２０】
スライダ９３において検出孔Ｈ１に対応する位置の凸部９３ｂは、図２３（ａ）（ｂ）（ｃ）（ｅ）からわかるように、長孔とされた検出孔Ｈ１内に入り込むサイズ及び形状とされ、図２３（ａ）（ｃ）のように、スライド位置に関わらず長孔内に位置する。
なお、本例において検出孔Ｈ１が長孔とされているのは、スライド時に凸部９３ｂが検出孔Ｈ１内を移動できるようにするためである。検出孔Ｈ１としては、少なくともミニディスクの範疇で規定されている位置における円形の孔とされればよく、例えば図２３（ａ）で言えば長孔とされた検出孔Ｈ１の右半分の位置に孔が形成されればよい。つまり検出孔Ｈ１は長孔でなくてもよく、また孔形状に応じて開閉機構が工夫されればよい。
そして、図２３（ａ）のように長孔の右半分が凸部９３ｂで塞がれている状態が検出孔Ｈ１の閉状態となり、図２３（ｃ）のように長孔の右半分に凸部９３ｂが位置しない状態が、検出孔Ｈ１の開状態となる。
このスライダ９３の凸部９３ｂの上面は、図２２（ｂ）（ｄ）に示すように、カートリッジ９１の底面と略水平の面を形成するようにされる。
【０１２１】
このように、スライダ９３は、検出孔Ｈ０を常に開状態とするとともに、検出孔Ｈ１を開閉する開閉機構として形成される。そしてさらに、凸部９３ｂにより、検出孔Ｈ１を閉状態にする場合において、その平面、つまりディスクドライブ装置側での検出孔判別部５０の突出部５２Ｌが当接する面が、カートリッジ９１の平面と略水平面（厚み方向に略同一の高さ）となるようにするものである。
【０１２２】
検出孔Ｈ０を常に開状態とする理由は先に述べた。検出孔Ｈ０は第１世代ＭＤ等では書込可否の判別のために用いられており、これを利用して本例のディスクを旧来機種において書込不可と認識させるためである。
検出孔Ｈ１がユーザーによって開閉可能とされるのは、検出孔Ｈ１を書込可否の設定に使用するためである。
そして元々録再ＭＤ等で反射率検出のために用いられていた検出孔Ｈ１を、書込可否設定に利用することで、本例のディスクにおいて、特に書込可否設定のために新たに３つ目の検出孔を設けるなどの必要もなくなる。
これは、対応するディスクドライブ装置において検出孔に対応するスイッチを増設する必要がないことを意味する。従って機器の小型化、薄型化、或いはコスト面で有利となる。
【０１２３】
また、検出孔Ｈ１が閉状態の場合に、凸部９３ｂによってカートリッジ平面と略水平面を形成するようにすることは、以下の理由による。
上述したように各種ディスクにはそれぞれ同一位置として検出孔Ｈ０、Ｈ１の位置が規定されている。そしてディスクドライブ装置側としては、検出孔判別部５０において、突出部５２Ｒ、５２Ｌが、検出孔Ｈ０、Ｈ１に対応する。
なお、旧来機種としてのディスクドライブ装置では、２つの独立したスイッチが、検出孔Ｈ０、Ｈ１に対応するように形成されている。
【０１２４】
ここで、図２４（ｃ）に録再ＭＤ（及び高密度ＭＤタイプＡ）、図２４（ｄ）に再生専用ＭＤでの検出孔Ｈ０，Ｈ１及び対応する突出部５２Ｒ、５２Ｌの状態を示す。
図２４（ｃ）の録再ＭＤの場合、検出孔Ｈ０，Ｈ１が設けられ、検出孔Ｈ０はカートリッジ厚み方向に約３ｍｍの孔とされる。この検出孔Ｈ０はスライダ９３によって開閉されるが、閉状態ではスライダの一部が、カートリッジ９１の底面（基準平面）から破線Ｚで示す１ｍｍ程度下がった位置となる。この１ｍｍとは、カートリッジ９１の厚みに相当する。そして録再ＭＤでは、スライダ９３には上記高密度ＭＤタイプＢ／タイプＣのディスクのように凸部９３ｂは形成されていないため、スライダによって１ｍｍ下がった位置で、検出孔Ｈ０が「塞がれる」ことになる。
このため、突出部５２Ｒが、基準平面から見て１ｍｍの位置においてスライダの一部に当接される状態を、スイッチオンとして検出孔Ｈ０の閉状態と判別するものとされ、一方図示するように基準平面から１ｍｍの位置で当接されない状態を、スイッチオフとして検出孔Ｈ０の開状態と判別する。
このため、図２（ｃ）、図１９（ｃ）に示した突出部５２Ｒのオン／オフでのストロークＳ０（開閉検出のためのストローク）は、基準平面から１ｍｍ程度の位置から３ｍｍに達しない位置（２ｍｍ強）の範囲を対象として設計されている。
【０１２５】
一方、録再ＭＤのもう一つの検出孔Ｈ１は、図２４（ｃ）のように例えば基準平面から２ｍｍ程度の深さの孔とされている。これは図２４（ｄ）の再生専用ＭＤを考慮するとともに、常に開放状態であることによる。
図２４（ｄ）に示すように再生専用ＭＤでは検出孔Ｈ１が形成されないが、上述したように、録再ＭＤにおける検出孔Ｈ１は、このような検出孔Ｈ１の無い再生専用ＭＤとの間で反射率の違いを提示するための設けられたものである。従って突出部５２Ｌは、検出孔Ｈ１が無い状態を閉状態と判別する必要があり、このためカートリッジ９１の底面（基準平面）に当接される状態（図２４（ｄ）の状態）を、スイッチオンとして検出孔Ｈ１の閉状態と判別する。一方図２４（ｃ）のように基準平面で当接されない状態を、スイッチオフとして検出孔Ｈ１の開状態と判別する。
このため、突出部５２Ｌのオン／オフでのストロークＳ１（開閉検出のためのストローク）は、基準平面と、基準平面から２ｍｍに達しない位置（１ｍｍ強）の範囲を対象として設計されている。
なお、ミニディスクに対応する旧来のディスクドライブ装置としては、検出孔Ｈ０、Ｈ１に対応する各スイッチは、同様の理由で、ストロークは同等であるがそれぞれオフ状態で検出孔Ｈ０側のスイッチの方がカートリッジ厚み方向に長く突出するように設計されている。
【０１２６】
ここで高密度ＭＤタイプＢ／タイプＣの場合のように、検出孔Ｈ１側が書込可否設定に用いられ、スライダ９３によって開閉されるようにすることを考える。
すると、仮にスライダ９３が例えば録再ＭＤの場合のように凸部９３ｂが存在しないものとすると、検出孔Ｈ１が閉状態にあるときには、スイッチＳＷ１は基準平面から１ｍｍの位置でスライダに当接することになる。
しかしながらその状態は、旧来機種の検出孔Ｈ１側のスイッチのストローク範囲のほぼ中間位置となってしまい、各種製造誤差を考えると、高密度ＭＤタイプＢ／タイプＣのディスクを旧来機種に装填した場合にオン／オフの明確な判別に不利となる。
また、高密度ＭＤタイプＢ／タイプＣに対応する本例のディスクドライブ装置（例えば図４のストレージ部２）においては、検出孔Ｈ１に対応する突出部５２Ｌを、突出部５２Ｒ側と同様に、基準平面から１ｍｍの位置から、３ｍｍに達しない位置をストローク範囲として設計すれば、オン／オフの判別に不利とはならない。ところが、本例のディスクドライブ装置に再生専用ＭＤが装填された場合、検出孔Ｈ１が存在しないため、突出部５２Ｌはカートリッジ９１の底面（基準平面）に押し付けられることになる。これは、突出部５２Ｌがオン方向に、設計上のストローク範囲を越えて押し付けられる状態となり、場合によっては押圧子５２（又は５２Ｌ）によるスイッチ構造の故障を引き起こすおそれがある。
【０１２７】
そこで高密度ＭＤタイプＢ／タイプＣの場合は上述のように、スライダ９３に凸９３ｂを設け、検出孔Ｈ１が閉状態では、その凸部９３ｂの平面が基準平面と略水平に成るようにしている。即ち図２４（ａ）（ｂ）に高密度ＭＤタイプＢ／タイプＣにおける検出孔Ｈ１の開状態と閉状態を示しているが、図２４（ｂ）のように、突出部５２Ｌが基準平面と略水平の位置（即ち凸部９３ｂ）に当接してオン状態となったときを閉状態と判別するようにし、図２４（ａ）のように基準平面において当接されずにオフ状態となった状態を開状態と判別するようにする。
【０１２８】
従って高密度ＭＤタイプＢ／タイプＣの場合についても、突出部５２ＲのストロークＳ０が、基準平面から１ｍｍ程度の位置から３ｍｍに達しない位置（２ｍｍ強）の範囲を対象として設計され、突出部５２ＬのストロークＳ１は、基準平面と、基準平面から２ｍｍに達しない位置（１ｍｍ強）の範囲を対象として設計されることが好適となり、以上のことから、本例の検出孔判別部５０において突出部５２Ｒ側が、突出部５２Ｌより大きく突出しているのは、再生専用ＭＤ、録再ＭＤ、高密度ＭＤタイプＡ、タイプＢ、タイプＣのいずれに対しても良好に機能できるようにするためであることが理解される。
【０１２９】
以上、実施の形態について説明してきたが本発明は上記実施の形態に限定されず、各種の変形例が考えられる。
また、ここでは、記録再生装置としては、ミニディスク（ＭＤ）方式のディスクに対応するものとしているが、これに限定されるものではなく、他の範疇のカートリッジディスクにおける記録媒体に対応するディスクドライブ装置にも本発明は適用できる。
【図面の簡単な説明】
【０１３０】
【図１】本発明の実施の形態における記録再生装置の分解斜視図である。
【図２】実施の形態の検出孔判別部の平面図、側面図、正面図、及び回路図である。
【図３】実施の形態の検出孔判別部の構造の説明図である。
【図４】実施の形態の記録再生装置の構成例を示すブロック図である。
【図５】実施の形態のディスクのフォーマットの説明図である。
【図６】実施の形態の記録再生装置のストレージ部のブロック図である。
【図７】再生専用ＭＤの検出孔の説明図である。
【図８】再生専用高密度ＭＤの検出孔の説明図である。
【図９】録再ＭＤ及び高密度ＭＤタイプＡの検出孔の説明図である。
【図１０】実施の形態の高密度ＭＤタイプＢ／タイプＣの検出孔の説明図である。
【図１１】実施の形態のディスク種別判別のための要素及び判別方法の組み合わせの説明図である。
【図１２】再生専用ＭＤ、録再ＭＤ、高密度ＭＤタイプＡのエリア構造の説明図である。
【図１３】高密度ＭＤタイプＢ、再生専用高密度ＭＤ、高密度ＭＤタイプＣのエリア構造の説明図である。
【図１４】ＭＤのＰ−ＴＯＣの説明図である。
【図１５】ＭＤのＵ−ＴＯＣの説明図である。
【図１６】実施の形態のディスク種別判別方法のフローチャートである。
【図１７】実施の形態の検出孔モードの説明図である。
【図１８】実施の形態の各検出孔モード時における検出孔判別部の動作状態の説明図である。
【図１９】他の実施の形態の検出孔判別部の平面図、側面図、正面図、底面図及び回路図である。
【図２０】他の実施の形態の検出孔判別部の構造の説明図である。
【図２１】高密度ＭＤタイプＢ／タイプＣのカートリッジの説明図である。
【図２２】高密度ＭＤタイプＢ／タイプＣの検出孔の開閉機構の説明図である。
【図２３】高密度ＭＤタイプＢ／タイプＣの検出孔の開閉機構の説明図である。
【図２４】高密度ＭＤタイプＢ／タイプＣの検出孔の閉状態とカートリッジ平面の関係の説明図である。
【符号の説明】
【０１３１】
１  記録再生装置、２  ストレージ部、３  キャッシュメモリ、４  ＵＳＢインターフェース、５  入出力処理部、５ａ  暗号処理部、６  表示部、７  操作部、８  システムコントローラ、９  ＲＯＭ、１０  ＲＡＭ、１１  キャッシュ管理メモリ、１２  ＮＶ−ＲＡＭ、２０  光学ヘッド、２２  ＲＦアンプ、２８  サーボ回路、３２  ストレージコントローラ、５０  検出孔判別部、５１  ガイド部、５２  押圧子、５２Ｌ，５２Ｒ  突出部、５３  検出スイッチ部、５４  付勢部、６１  ホルダー、６２  電池、６３  メカニズム、６４  プリント基板、７０  識別用穴、９０  ディスク、９１  カートリッジ、９３  スライダ、１００  パーソナルコンピュータ／ネットワーク、Ｈ０，Ｈ１  検出孔
【図１】
2005310341.tif 000003
【図２】
2005310341.tif 000004
【図３】
2005310341.tif 000005
【図４】
2005310341.tif 000006
【図５】
2005310341.tif 000007
【図６】
2005310341.tif 000008
【図７】
2005310341.tif 000009
【図８】
2005310341.tif 000010
【図９】
2005310341.tif 000011
【図１０】
2005310341.tif 000012
【図１１】
2005310341.tif 000013
【図１２】
2005310341.tif 000014
【図１３】
2005310341.tif 000015
【図１４】
2005310341.tif 000016
【図１５】
2005310341.tif 000017
【図１６】
2005310341.tif 000018
【図１７】
2005310341.tif 000019
【図１８】
2005310341.tif 000020
【図１９】
2005310341.tif 000021
【図２０】
2005310341.tif 000022
【図２１】
2005310341.tif 000023
【図２２】
2005310341.tif 000024
【図２３】
2005310341.tif 000025
【図２４】
2005310341.tif 000026